(57)【要約】【課題】デュアルビュー表示を行っても、リモコンを操作して誤って見ている画面とは異なる画面の操作を行うことが無く、また、相手が見ている映像に関する情報を知らせたり、同じ番組の場合はシングルビューに切り換えることができる。【解決手段】視聴者は、リモコン２３を操作する場合、リモコン２３の操作する画面を特定する処理を行う。視聴者が操作画面設定とすると、指示制御手段３３が操作画面設定モードの指示信号をリモコン受光部２２から受けると、操作指示制御手段３３が表示制御手段３２にその信号を送る。これ以外のキーが押されても、操作指示制御手段３３は、指示信号を表示制御手段３２に送らない。【選択図】図２
2008026461.tif 000002
【特許請求の範囲】
【請求項１】
映像データに基づいてシングルビュー表示又はデュアルビュー表示が可能な表示部と、
前記表示手段に映像を表示するための映像信号を生成する映像処理回路と、
前記表示手段に表示させる操作指示をするための操作部と、
各部を制御するための制御部とを備え、
前記制御部は、
前記映像処理回路に生成する映像信号の指示をする表示制御手段と、
デュアルビュー表示の際に前記操作部によって操作を行う画面を特定する操作を行った場合のみ、前記操作部の画面特定以外の指示信号を前記表示制御手段に送出する操作指示制御手段とを備えることを特徴とする表示装置。
【請求項２】
前記表示制御手段は、操作指示制御手段から操作指示信号を受けた場合、前記映像情報取得手段で取得した隣の映像に関する情報をＯＳＤ表示する映像を前記映像処理回路に生成させることを特徴とする請求項１に記載の表示装置。
【請求項３】
前記制御部は、デュアルビュー表示されている場合に、表示されている両方の映像が同一映像であるかを判定する同一映像判定手段を備え、
前記同一映像判定手段が両映像が同一と判定した場合は、シングルビュー表示に切り換えることを特徴とする請求項１又は２に記載の表示装置。
【請求項４】
前記同一映像判定手段は、表示されている映像に関する情報が同一であれば、同一映像を表示していると判定することを特徴とする請求項３に記載の表示装置。
【発明の詳細な説明】
【技術分野】
【０００１】
本発明は、１画面で２方向にそれぞれ別の情報を同時に表示できるデュアルビュー表示が可能な表示装置に関するものである。特に、液晶パネル、プラズマ・ディスプレイ、有機ＥＬに適用可能であり、テレビジョン受信機、携帯電話、ＰＤＡ、パーソナルコンピュータ、カーナビゲーション等の表示部分に用いることができる。
【背景技術】
【０００２】
近年、１画面で左右２方向にそれぞれ別の情報を同時表示できる「デュアルビュー」と称される液晶表示装置が登場している(例えば、特許文献１を参照）。このデュアルビュー液晶表示装置は、液晶パネルの前面に視差バリアを設け、１ピクセルごとにバックライトからの光の進行方向を振り分けることで、左右に異なる情報を表示できる。視差バリアの配置などによっては、上下方向に表示したりすることも可能である。
【０００３】
図７に、デュアルビュー液晶表示装置の原理図を示す。この液晶表示装置は、バックライト８１と、複数の画素ａ，ｂを有する液晶表示パネル８２と、パララックスバリア(光学系分離素子）８３と、をこの順に配置する構造である。パララックスバリア８３は、不透明領域によって隔てられる垂直な透光性スリット８４を複数有するスクリーンであり、液晶表示パネル８２の画素ａを透過したバックライト８１からの光が複数の透光性スリット８４を介して視聴者Ａ側に到達し、画素ｂを透過したバックライト８１からの光が複数の透光性スリット８４を介して視聴者Ｂ側に到達する。言い換えれば、液晶表示パネル８２に表示されるそれぞれ異なる映像の２つのビュー（デュアルビュー）は、パララックスバリア８３の複数の透光性スリット８４により、空間上の規定された領域からしか見えないようにしたものである。
【特許文献１】２００５−２８４５９２号公報
【発明の開示】
【発明が解決しようとする課題】
【０００４】
しかしながら、従来のデュアルビューの表示装置においては、リモコン操作をした場合に、誤って自分が見ている画面とは異なる他の画面の操作を行ってしまう場合がある。視聴者は、操作して画面に反応が無ければ誤って他方の画面の操作を行ってしまったことがわかるが、他方の画面を見ている視聴者にとっては、いきなり操作が行われてしまうために、非常に不快な思いをする。
【０００５】
また、左右２方向にいる視聴者は、互いに相手が何を見ているか分からない。従って、同時に同じ番組や情報を表示しているのに、全く気づくことなく視聴してしまうこともあり得る。スピーカから音声を出力していれば、同じ情報（映像）を見ていることに気づく可能性もあるが、互いの音に干渉されないようにヘッドホンを装着することもあり、全く気づかないこともあり得る。
【０００６】
さらに、複数のデジタルチューナを搭載していないため、一方の視聴者が見たい番組と他方の視聴者が見ている番組が同じものであっても、それが分らないために、一方の視聴者が番組をあきらめる場合もあり得る。同じ映像を見ていることが分かれば、シングルビューにしてスピーカから音を出した方が迫力ある音響効果が得られる可能性もあるし、シングルビューにすれば、同じ映像処理を複数並行に処理する必要がなく、高画質の映像を見ることができる。
【０００７】
本発明は、斯かる実情に鑑み、デュアルビュー表示を行っても、リモコンを操作して誤って見ている画面とは異なる画面の操作を行うことが無く、また、相手が見ている映像に関する情報を知らせたり、同じ番組の場合はシングルビューに切り換えることができる表示装置を提供しようとするものである。
【課題を解決するための手段】
【０００８】
本発明は、映像データに基づいてシングルビュー表示又はデュアルビュー表示が可能な表示部と、前記表示手段に映像を表示するための映像信号を生成する映像処理回路と、前記表示手段に表示させる操作指示をするための操作部と、各部を制御するための制御部とを備え、
前記制御部は、前記映像処理回路に生成する映像信号の指示をする表示制御手段と、デュアルビュー表示の際に前記操作部によって操作を行う画面を特定する操作を行った場合のみ、前記操作部の画面特定以外の指示信号を前記表示制御手段に送出する操作指示制御手段とを備えることを特徴とする表示装置である。
【０００９】
ここで、前記表示制御手段は、操作指示制御手段から操作指示信号を受けた場合、前記映像情報取得手段で取得した隣の映像に関する情報をＯＳＤ（On Screen Display）表示する映像を前記映像処理回路に生成させることを特徴とする。
【００１０】
また、前記制御部は、デュアルビュー表示されている場合に、表示されている両方の映像が同一映像であるかを判定する同一映像判定手段を備え、前記同一映像判定手段が両映像が同一と判定した場合は、シングルビュー表示に切り換えることを特徴とする。
【００１１】
また、前記同一映像判定手段は、表示されている映像に関する情報が同一であれば、同一映像を表示していると判定することを特徴とする。例えば、テレビ放送であれば、チャンネル番号や番組名等のチャンネル情報を比較して、同一映像か否かを判定する。
【発明の効果】
【００１２】
本発明によれば、デュアルビュー表示の際に前記操作部によって操作を行う画面を特定する操作を行った場合のみ、前記操作部の画面特定以外の指示信号を前記表示制御手段に送出するので、誤って見えない方の画面の選局操作等をしてしまうことを防ぐことができる。
【００１３】
また、前記表示制御手段は、操作指示制御手段から操作指示信号を受けた場合、前記映像情報取得手段で取得した隣の映像に関する情報をＯＳＤ表示するので、デュアルビュー表示でそれぞれの画面を視聴している視聴者が、視聴できない側の画面に表示されている映像がどのようなものであるかが分る。従って、例えば、アナログ用のチューナとデジタル用のチューナが各１つしかない場合であっても、両方が同じ映像を見たい場合には、シングルビューなどに切換えることができ、選局時の視聴者ビリティを向上させる。
【００１４】
さらに、デュアルビュー表示されている場合に、両映像が同一の場合は自動的にシングルビュー表示に切り換えるので、視聴者は高画質の映像を見ることができる。
【発明を実施するための最良の形態】
【００１５】
以下、本発明の実施の形態を添付図面を参照して説明する。
【００１６】
図１は本発明に係る表示装置であるテレビジョン装置の一実施形態を示すブロック図である。図２は、マイコン(マイクロコンピュータの略称)の機能ブロック図である。
このテレビジョン装置１０は、アスペクト比９：１６の表示画面をもつ液晶パネルの表示部１８を備え、入力映像を表示する。入力映像は、地上波テレビ放送、ＣＡＴＶ、ＤＶＤ等のビデオ映像である。テレビ放送については、アンテナ（図示せず）を通じて受信し、Ｕ／Ｖチューナ１１、ＢＳデジタルチューナ１２、地上デジタルチューナ１３で所定のチャンネルの信号を抽出したり、ＥＰＧ(Electronic Program Guide）信号を抽出する。また、ＤＶＤ等からのビデオ信号は、外部入力端子１４から入力することができる。なお、各チューナは単数の場合もあれば、複数搭載されいる場合もある。
【００１７】
各チューナ１１，１２，１３あるいは外部入力端子１４から入力されたテレビ放送やビデオ信号等の映像信号は、セレクタ１５で選択され、映像処理回路１６に送られてシングルビューやデュアルビューの表示映像が生成され、表示部１８に表示される。
【００１８】
このテレビジョン装置１０の操作入力は、テレビジョン装置１０に備えられた操作部２１か、あるいはリモコン（リモートコントロール：Ｒ／Ｃ）２３からの制御信号を赤外線で受光するリモコン受光部２２の信号をマイコン１９で受けて、マイコン１９が実行する。
【００１９】
視聴者がリモコン２３のキーを押圧することにより、リモコン２３は操作指示信号を赤外線に変換して発光する。テレビジョン装置１０のリモコン受光部２２が赤外線を受光して電気信号に変換し、制御部であるマイコン１９に送出する。マイコン１９は、操作指示信号に基づいて各部を制御する。
【００２０】
あらかじめＯＳＤ映像である文字データや映像データ、あるいは制御プログラム等がＲＯＭ２０に記憶されている。マイコン１９は、リモコンからＥＰＧ情報や操作メニュー等を表示する指示があれば、これらに関するＯＳＤ映像をＲＯＭ２０から読み出して、映像処理回路１６を介して表示部１８に表示する。
【００２１】
図２に示すように、マイコン１９は、セレクタ１５が選択した映像信号から映像に関する情報を取得する映像情報取得手段３１、映像処理回路１６を制御して表示部１８に表示させる映像を制御する表示制御手段３２、操作部２１やリモコン受光部２２からの操作指示信号を受けて各部へその信号を伝える操作指示制御手段３３、デュアルビュー表示の２つの映像が同一であるかを判定する同一映像判定手段３４とを備える。ここで、映像に関する情報とは、例えば、放送種類情報、チャネル情報、ジャンル情報等である。
【００２２】
図３に示すように、リモコン２３は、電源キー４１、操作画面設定のモードキー４２、決定キー４３、上下左右の方向指示キー４４、ビュー切換キー４５、テンキー４６、アップダウン選局キー４７等を備える。特に、操作画面設定のモードキー４２はデュアルビュー表示の操作対象画面を設定するためのキーであり、決定キー４３は選択された項目を確定するためのキーであり、上下左右の方向指示キー４４は上下左右に選択対象を移動させるためのキーであり、ビュー切換キー４５はシングルビューとデュアルビューを切換えるキーである。
【００２３】
図４に、デュアルビュー表示の画面の一例を示す。表示部１８に向かって左側の視点から見える画面を第１画面５２、右側視点から見える画面を第２画面５３とする。マイコン１９は、リモコン２３のビュー切換キー４５の操作により、シングルビュー表示から第１画面５２及び第２画面５３の両方を表示するデュアルビュー表示を行わせるように、映像処理回路１６を制御する。
【００２４】
第１画面５２及び第２画面５３に表示される映像は、テレビ受信における放送データであってもよいし、ビデオ、ＣＤ、ＤＶＤ等を再生する再生機器であるソース源からの映像データのいずれであってもよい。
【００２５】
表示部１８は、従来技術で説明したような左右２方向にそれぞれ別の情報を同時表示できるデュアルビュー機能と、いずれかの情報を１つ表示するシングルビュー機能を有し、これらを切り替え可能となっている。なお、表示方向は左右に限定されず、例えば上下方向でもよい。
【００２６】
ここで、表示部１８は、バックライトと、複数の画素を有する液晶表示パネルと、パララックスバリア(光学系分離素子）と、をこの順に配置する構造であり、図７に示した構造と同じであるので、その詳しい説明は省略する。
【００２７】
上述したデュアルビュー表示を行わせる場合には、例えば液晶表示パネルの隣り合う画素を第１画面５２の映像データ又は第２画面５３の映像データに応じて駆動させればよい。言い換えれば、隣り合う画素は、互いに異なる映像データに応じて駆動される。なお、画素は１個おきに互いに異なる映像データに応じて駆動されるようにしてもよいし、２個おき、あるいは３個おき等のように複数個おきに駆動されるようにしてもよいことは勿論である。いずれにしてもパララックスバリアの透光性スリットの幅に応じて設定すればよい。
【００２８】
また、本実施形態では、デュアルビュー表示を行わせるために、複数の透光性スリットを有するパララックスバリアを用いた場合について説明したが、この例に限らず、液晶表示パネルのような液晶層を有し、その液晶層に印加される電界の強さに応じて複数の垂直なスリットが形成されるスリット形成手段を用いてもよい。この場合、デュアルビュー表示の場合には、複数の垂直なスリットを出現させ、シングルビュー表示の場合には複数の垂直なスリットを消すようにすればよい。
【００２９】
これにより、図７で説明したように、パララックスバリアの複数の透光性スリットを通して見える光が空間上の規定された領域からしか見えないことになるため、例えば左側視点から見ている視聴者は第１画面５２の映像のみを視聴することができ、左側視点から見ている視聴者は第２画面５３の映像のみを視聴することができる。なお、それぞれの映像に応じた音声は、スピーカから出力され、それぞれの視聴者に混在して伝達されるが、例えばそのスピーカを超指向性を有するものとすることで、それぞれの視聴者にそれぞれの映像に応じた音声のみを伝達させることは可能である。また、視聴者はスピーカではなく、ヘッドホンを用いて音声を聞くこともできる。
【００３０】
図５は、マイコンによる表示処理の手順を示すフローチャートである。
まず、視聴者は、リモコン２３を操作する場合、リモコン２３の操作する画面を特定する処理を行う。例えば、視聴者がリモコン２３の操作画面設定モードキー４２を押すと（ステップＳ１）、初めてリモコン２３の操作が可能となる。すなわち、操作指示制御手段３３が操作画面設定モードの指示信号をリモコン受光部２２から受けると、操作指示制御手段３３が表示制御手段３２にその信号を送る。これ以外のキーが押されても、操作指示制御手段３３は、指示信号を表示制御手段３２に送らない。
【００３１】
次に、操作画面設定モードとなった場合、マイコン１９の表示制御手段３２は、画面がシングルビュー表示かデュアルビュー表示かを確認する（ステップＳ２）。デュアルビュー表示であれば（ステップＳ２；Ｙｅｓ）、図４に示すように、表示制御手段３２は、第１画面５２にリモコン操作有効アイコン５４を点滅して表示し、一方、右側の第２画面５３にはリモコン操作無効アイコン５５を点滅して表示する。これは、リモコン２３からの指示信号をリモコン受光部２２で受光して、表示制御手段３２が映像処理回路１６のＯＳＤ表示回路１７を動作させて表示部１８に表示させたものである。もし、視聴者が操作対象画面を変えたければ、リモコン２３の左右方向指示キー４４を押すと、リモコン有効アイコン５４とリモコン無効アイコン５５が入れ替わる。
【００３２】
視聴者が操作を行いたい画面にリモコン操作有効アイコン５４があれば、リモコン２３の決定キー４３を押して、操作画面を決定する。操作指示制御手段３３は、決定キー４３が押されて操作対象画面が決定されたかを確認した場合（ステップＳ３）、表示制御手段３２により、アイコン５４，５５は点滅をやめた状態で表示される。なお、この画面操作選択を行わないと次の操作に進めない。
【００３３】
次に、表示制御手段３２は、図４の第１画面５３に示すように、操作を行う画面に下記内容を一定時間ＯＳＤ表示させる（ステップＳ５）。
・視聴中の画面のチャンネル情報５６
・他方の画面のチャンネル情報５７
・「デュアルビューＯＮ」表示５８
なお、上記情報は、映像データに付加されている映像内容に関する情報である。これは、映像情報取得手段３１が、セレクタ１５で選択された映像データから取得する。
【００３４】
また、下記アイコンも表示される。
・リモコン操作アイコン５４
・他方の画面にリモコン操作禁止アイコン５５
【００３５】
この時点で、同一映像判定手段３４が、左右の映像が同一か否かを判定する（ステップＳ５）。同一映像判定手段３４は、映像信号を比較して同一映像であるか否かを判定しても良いし、映像に関する情報を比較して同一映像であるかを比較しても良い。例えば、この実施例で映像に関する情報とは、チャンネル情報（チャンネル番号や番組名）であり、これが同一であれば、同一映像であると判定する。
【００３６】
ＢＳデジタルチューナが複数あると、これを使用して同一画像をデュアルビュー表示で両画面に映し出すことができる。もし、同一映像であれば（ステップＳ５；Ｙｅｓ）、表示制御手段３２は、下記内容を一定時間、図６（ａ）に示すように、左側視点と右側視点から表示部１８を見た画面６２，６３に表示する（ステップＳ６）。
・視聴中の画面のチャンネル情報６５，６９
・他方の画面のチャンネル情報６６，７０
・「デュアルビューＯＮ」表示６７，７１
・「デュアルビュー解除」表示６４，６８
【００３７】
そして、表示制御手段３２は一定時間経過後、シングルビュー表示に切り換え（ステップＳ７）、ステップＳ１１に進む。
【００３８】
一方、同一映像でなければ（ステップＳ５；Ｎｏ）、操作指示制御手段３３が、一定時間内に視聴者がリモコン２３のアップダウン選局キー４７や選局のためにテンキー４６が押されたかを確認する（ステップＳ８）。選局のキーが押された場合（ステップＳ８；Ｙｅｓ）、ステップＳ１で特定した画面において選局動作を行う（ステップＳ１０）。選局のキーが押されなかった場合（ステップＳ８；Ｎｏ）、ＯＳＤ表示を消す（ステップＳ９）。
【００３９】
一方、シングルビュー表示であれば（ステップＳ２；ＮｏあるいはＳ７でシングルビューに切り換えた場合）、ステップＳ１１において、図５（ｂ）に示すように、シングル画面７２に下記内容を一定時間ＯＳＤ表示する。
・視聴中の画面のチャンネル情報７３
・「デュアルビューＯＦＦ」表示７４
そして、通常の選局動作を行う（ステップＳ１２）。
【００４０】
こうして、デュアルビュー表示の時、リモコン２３による操作対象画面を設定する処理を行わない限り、他の操作を操作指示制御手段が受け付けないので、誤って見えない方の画面の選局操作等をしてしまうことを防ぐことができる。
【００４１】
また、各種類のチューナが一つずつしか無いと、デュアルビュー表示で左右同時に同じ放送を見ることができない。そのため、一方の視聴者が見たい番組があっても、他方で使用されていると見ることができない。しかし、本実施例では、他方の映像の情報を表示するので、もし、見たい放送番組を他の画面で見ている場合には、シングルビューにして見ることができる。
【００４２】
さらに、デュアルビュー表示で、両画面で同じ映像を映している場合には、そのことを表示してから、シングルビュー表示に自動的に切り替える機能も有している。こうすることで、デュアルビュー表示に比べ、高画質の表示で映像を見ることができる。
【図面の簡単な説明】
【００４３】
【図１】本発明に係る表示装置であるテレビジョン装置の一実施形態を示すブロック図である。
【図２】マイコンの機能ブロック図である。
【図３】リモコンの一例を示す外観図である。
【図４】デュアルビュー表示の画面の一例を示す概略図である。
【図５】マイコンによる表示処理の手順を示すフローチャートである。
【図６】（ａ）はデュアルビュー表示で同一画面を表示した場合の概略図、（ｂ）はシングルビュー表示切り換えた画面の概略図である。
【図７】デュアルビュー液晶表示装置の原理図である。
【符号の説明】
【００４４】
１０  テレビジョン装置
１１  Ｕ／Ｖチューナ
１２  デジタルチューナ
１３  地上デジタルチューナ
１４  外部入力端子
１５  セレクタ
１６  映像処理回路
１７  ＯＳＤ表示回路
１８  表示部
１９  マイコン
２１  操作部
２２  リモコン受光部
２３  リモコン
３１  映像情報取得手段
３２  表示制御手段
３３  操作指示制御手段
３４  同一映像判定手段
【図１】
2008026461.tif 000003
【図２】
2008026461.tif 000004
【図３】
2008026461.tif 000005
【図４】
2008026461.tif 000006
【図５】
2008026461.tif 000007
【図６】
2008026461.tif 000008
【図７】
2008026461.tif 000009